(57)【要約】【課題】  遊技盤面に発射された遊技球の流下態様に面白味を付与するのに有効な遊技機を構築する。【解決手段】  遊技盤１０３面に入賞装置１２０が設けられたパチンコ機１０１において、入賞装置１２０は、球流入口１２１ａから流入した遊技球が流入可能な球排出口１２１ｃ及び流入口１２４，１２５と、遊技球を球排出口１２１ｃあるいは流入口１２４，１２５に振り分ける開閉部材１２２，１２３を備える。【選択図】      図１
2005279057.tif 000002
【特許請求の範囲】
【請求項１】
遊技盤面に発射された遊技球が流入可能な球流入口を有する球流入装置を備えた遊技機であって、
前記球流入装置は、前記球流入口から流入した遊技球が流入可能な第１の球流入領域及び第２の球流入領域と、遊技球を前記第１の球流入領域あるいは前記第２の球流入領域に振り分ける振り分け手段と、
を備えることを特徴とする遊技機。
【発明の詳細な説明】
【技術分野】
【０００１】
本発明は、パチンコ機のような遊技機の構成に関する技術である。
【背景技術】
【０００２】
従来、パチンコ機のように、遊技盤面に入賞装置を備えた構成の遊技機が公知である（例えば、特許文献１参照。）。この特許文献１に記載の遊技機は、左右一対の開閉部材を開閉動作させ、遊技機が入賞装置内へ入賞しやすい状態と、入賞しないか入賞しにくい状態を形成させることによって遊技球を振り分ける構成を有する。
ところで、この種の遊技機において、遊技盤の限られた遊技領域の中で図柄表示器を大型化したいという要請がある。ところが、このような要請に応えた場合には、図柄表示器以外の遊技領域が狭くなり、当該遊技領域を流下する遊技球の流下態様が単調になり易いという問題がある。そこで、この種の遊技機においては、遊技領域に設けられた入賞装置のような球流入装置の構成を種々工夫することによって、図柄表示器以外の遊技領域をより有効に使用し、これにより遊技球の流下態様を面白味のあるものにしたいという要請が高い。
【特許文献１】特開２００３−３３４８８号公報
【発明の開示】
【発明が解決しようとする課題】
【０００３】
本発明は、かかる点に鑑みてなされたものであり、遊技盤面に発射された遊技球の流下態様に面白味を付与するのに有効な遊技機を構築することを課題とする。
【課題を解決するための手段】
【０００４】
前記課題を解決するために、本発明が構成される。なお、本明細書でいう「遊技機」としては、パチンコ機、アレンジボール遊技機などの遊技機が典型的なものである。
【０００５】
（本発明の第１発明）
前記課題を解決する本発明の第１発明は、請求項１に記載されたとおりの遊技機である。この請求項１に記載の遊技機は、少なくとも球流入装置を備え、またこの球流入装置は、球流入口から流入した遊技球が流入可能な第１の球流入領域及び第２の球流入領域、振り分け手段を少なくとも備える構成になっている。
【０００６】
本発明の振り分け手段は、遊技球を第１の球流入領域あるいは第２の球流入領域に振り分ける機能を有する手段である。この振り分け手段は、典型的には、第１の球流入領域や第２の球流入領域を開閉動作するべく制御される開閉部材によって構成される。これにより、遊技盤面に発射された遊技球は、球流入口を通じて球流入装置内へ流入したのち、振り分け手段を介して第１の球流入領域あるいは第２の球流入領域に振り分けられる。
請求項１に記載の遊技機のこのような構成によれば、球流入装置に振り分け手段を設けることによって、遊技盤面に発射された遊技球の流下態様に面白味を付与することが可能となる。
【０００７】
なお、本発明でいう「球流入装置」とは、遊技盤面に発射された遊技球を装置内に受け入れて当該遊技球が装置内において流下することが可能な各種の装置を広く含む主旨であり、典型的には、遊技球の流下に影響を及ぼすことが可能な役物、例えば、内部に遊技球の入賞領域を有する構成の役物や、単に遊技球の通過を許容する構成の役物などを包含する。また、球流入装置内へ流入した遊技球が、装置内を流下したのち、結果として、遊技盤面に排出されるか否かは問わない。より具体的には、内部に遊技球の入賞領域を有し、遊技球の入賞によって賞球を付与することが可能な入賞装置が、本発明における「球流入装置」の一例である。
【０００８】
また、本発明において第１の球流入領域ないし第２の球流入領域に対応する「球流入領域」とは、遊技球が流入可能な領域を広く含む主旨であり、当該領域の形状や種類、大きさ、数等は問わない。例えば、遊技球が入球可能な入賞口や始動口、また遊技球の単なる流通経路や転動経路であっても、本発明における「球流入領域」の範疇に含まれる。
【発明の効果】
【０００９】
以上のように、本発明によれば、特に遊技機を構成する球流入装置に振り分け手段を設け、球流入口を通じて球流入装置内へ流入した遊技球を、当該振り分け手段を介して第１の球流入領域あるいは第２の球流入領域に振り分けるようにすることによって、遊技盤面に発射された遊技球の流下態様を面白味のあるものにするのに有効な遊技機を構築することが可能とされる。
【発明を実施するための最良の形態】
【００１０】
以下に、本発明の「遊技機」の一実施の形態であるパチンコ機１０１につき図面を用いて詳細に説明する。まず、図１を参照しつつ、パチンコ機１０１の全体構成を説明する。ここで、図１には本発明における一実施の形態のパチンコ機１０１の遊技盤１０３の全体構成が示される。
【００１１】
図１に示すパチンコ機１０１は、いわゆる「第１種パチンコ機」と呼称される機種である。このパチンコ機１０１の遊技盤１０３面（本発明における「遊技盤面」に対応）に形成された遊技領域１０５には、第１種始動口１１０（始動口センサ１４０）、入賞装置１２０、液晶型の表示器１３１を有する表示装置１３０等が配置されている。
本実施の形態では、図１に示すように、表示器１３１の下方に入賞装置１２０が配置され、入賞装置１２０の下方に第１種始動口１１０が配置される構成になっている。また、その他として、既知の構成の球通過口１１３（通過口センサ１４２）、遊技球（パチンコ球）の流下経路を右側ないし左側へと変える機能を有する風車１１４、各種の一般入賞口１１５（一般入賞口センサ１４６）、遊技球の流下態様（流下方向、流下時間等）に影響を与える多数の遊技釘１１６が、遊技盤１０３面に設けられている。
【００１２】
球通過口１１３を遊技球が通過するとき当該遊技球が通過口センサ１４２によって検出されると、所定の普通図柄抽選が行われ、当該普通図柄抽選結果に基づいて普通図柄表示器（図示省略）は普通図柄を表示する。当該普通図柄抽選結果が当たりの場合には、第１種始動口１１０を構成する開閉部材１１１，１１２が所定時間開放されたのちに閉止される。当該普通図柄抽選結果がはずれの場合には、開閉部材１１１，１１２は閉止状態を維持する。
【００１３】
第１種始動口１１０に遊技球（パチンコ球）が入賞し、入賞した当該遊技球（パチンコ球）が始動口センサ１４０によって検出されると、所定数の賞球が付与されるとともに、表示器１３１は大当たりに関与する特別図柄や文字、背景等の変動を開始する。この第１種始動口１１０が、後述する態様７および態様８における「始動口」に対応しており、表示器１３１が、後述する態様７および態様８における「図柄表示手段」に対応している。
【００１４】
入賞装置１２０は、当該入賞装置１２０内へ流入した遊技球を振り分ける機能を有する装置である。この入賞装置１２０の詳細構成が図２〜図４に示される。ここで、図２は、図１中の入賞装置１２０の入賞不可状態における拡大図であり、図３は、図２中の入賞装置１２０のＡ−Ａ線における断面構造を示す図である。また、図４は、図１中の入賞装置１２０の入賞可能状態における拡大図である。
【００１５】
図２及び図３に示すように、入賞装置１２０は、遊技盤１０３に形成された凹み部分（遊技盤１０３の前面から背面側に凹んだ部位）に左右一対の開閉部材１２２，１２３を備えるとともに、これら開閉部材１２２，１２３を遊技盤１０３の前面側（図３中の左側）から覆う透明樹脂製の球流下部材１２１を備えている。これにより、遊技者は、入賞装置１２０内の様子、具体的には入賞装置１２０内の経路（後述する球流入口１２１ａ、球流下通路１２１ｂ、球排出口１２１ｃ、入賞口１２４，１２５等）を流下する遊技球の状態や開閉部材１２２，１２３の開閉動作を、球流下部材１２１を透して視認可能とされる。また、図３に示すように、球流下部材１２１よりも前側（図３中の左側）は、入賞装置１２０外の遊技球、すなわち入賞装置１２０内に流入しなかった遊技球の通過が許容された構成になっている。この球流下部材１２１が、後述する態様２における「球流下部材」に対応している。
【００１６】
球流下部材１２１は、入賞装置１２０内への遊技球の流入を可能とする球流入口１２１ａ（本発明における「球流入口」に対応）、この球流入口１２１ａを通じて流入した遊技球が流下する球流下通路１２１ｂ、この球流下通路１２１ｂを流通した遊技球の入賞装置１２０外への排出を可能とする球排出口１２１ｃを形成する。球排出口１２１ｃは、第１種始動口１１０の真上に配置されており、この球排出口１２１ｃを通じて入賞装置１２０外へ排出された遊技球は、第１種始動口１１０へ入球し易い構成になっている。この球排出口１２１ｃが、本発明における「第１の球流入領域」及び後述する態様６における「球排出口」に対応している。
また、球流下通路１２１ｂの背面側には、当該球流下通路１２１ｂを流通した遊技球が入賞可能な入賞口１２４，１２５が設けられている。入賞口１２４，１２５に入賞した遊技球は、入賞センサ１４４によって検出される構成になっている。これら入賞口１２４，１２５が、本発明における「第２の球流入領域」に対応している。
【００１７】
開閉部材１２２は、回動軸１２２ａを中心にして回転動作が可能な構成であり、また開閉部材１２３は、回動軸１２３ａを中心にして回転動作が可能な構成になっている。これにより、開閉部材１２２，１２３は、図２に示す位置あるいは図４に示す位置に設定可能とされる。また、これら開閉部材１２２，１２３の回転動作は、入賞装置１２０の外形（球流下部材１２１の外形）の範囲内で行われるように構成されており、入賞装置１２０の外形よりも外側に開閉部材１２２，１２３がはみ出さないように構成されている。
【００１８】
これら開閉部材１２２，１２３が図２に示す位置に設定された状態では、これら開閉部材１２２，１２３によって入賞口１２４，１２５が閉鎖され、球流入口１２１ａと入賞口１２４，１２５との連通が遮断される一方、球流入口１２１ａと球排出口１２１ｃとの連通は許容される。したがって、球流入口１２１ａを通じて入賞装置１２０内へ流入し球流下通路１２１ｂを流下した遊技球は、入賞口１２４，１２５への入賞が不可とされ、球排出口１２１ｃを通じて入賞装置１２０外へ排出されるように振り分けられる。開閉部材１２２，１２３のこの状態が、後述する態様１における「第１の状態」に相当する。
【００１９】
これに対し、開閉部材１２２，１２３が図２に示す位置から各々内方へ左右対称に回転動作し図４に示す位置に設定されると、これら開閉部材１２２，１２３によって入賞口１２４，１２５が開放され、球流入口１２１ａと入賞口１２４，１２５との連通が許容される一方、球流入口１２１ａと球排出口１２１ｃとの連通は遮断される。したがって、球流入口１２１ａを通じて入賞装置１２０内へ流入し球流下通路１２１ｂを流下した遊技球は、球排出口１２１ｃを通じて入賞装置１２０外へ排出されるのが不可とされ、必ず入賞口１２４，１２５へ入賞するように振り分けられる。開閉部材１２２，１２３のこの状態が、後述する態様１における「第２の状態」に相当する。
【００２０】
このように、本実施の形態の入賞装置１２０においては、開閉部材１２２，１２３を、入賞装置１２０内へ流入した遊技球を入賞口１２４，１２５ないし球排出口１２１ｃに振り分ける手段として用いており、この開閉部材１２２，１２３が、本発明における「振り分け手段」及び後述する態様１における「開閉部材」に対応している。
【００２１】
次に、上記構成のパチンコ機１０１の電装システムを、図５を参照しながら説明する。図５には、本実施の形態のパチンコ機１０１の電装システムが示される。
【００２２】
図５に示すように、本実施の形態に係るパチンコ機１０１は、概略的に見て、ＡＣ電源に接続された電源装置１３０に中継基板１３２を介して接続された主制御装置（メイン制御基板）１５０、および副制御装置（サブ制御基板）１５２を主体として構成される。
主制御装置１５０内には、特に図示しないもののＣＰＵ（中央演算処理装置）、メモリ、入力処理回路および出力処理回路が適宜設定されている。さらに、主制御装置１５０には、前記の始動口センサ１４０、通過口センサ１４２、入賞口センサ１４４、一般入賞口センサ１４６が接続されており、これら各センサ１４０，１４２，１４４，１４６からの検出信号が当該主制御装置１５０に適宜入力されるようになっている。さらに、主制御装置１５０には、ソレノイド１６０、賞球制御部１６５が接続され、また、副制御装置１５２を介して表示制御部１６２、音制御部１６３、ランプ制御部１６４がそれぞれ接続されている。とりわけ、開閉部材１２２，１２３に連結されたソレノイド１６０が主制御装置１５０によって駆動制御される構成になっており、主制御装置１５０及びソレノイド１６０を用いて、後述する態様１における「開閉部材制御手段」が構成される。さらに主制御装置１５０は、パチンコ機１０１を設置した遊技ホールに設けられたホールコンピュータ１７０に接続され、例えば大当たりの回数等といった遊技に関する営業情報を適宜出力する構成になっている。
【００２３】
表示制御部１６２には、前記の表示器１３１が接続されており、表示制御部１６２を介して伝達される制御信号にしたがって表示器１３１における表示内容の制御などが行われる。この表示制御部１６２が、後述する態様７および態様８における「表示制御手段」に対応している。
音制御部１６３には、スピーカー類が接続されており、この音制御部１６３を介して伝達される制御信号にしたがってスピーカー類における音声出力状態が制御される。
ランプ制御部１６４には、遊技盤１０３に配置される各種のランプ類が接続されており、ランプ制御部１６４を介して伝達される制御信号にしたがって各種のランプ類の点灯、点滅状態が制御される。
賞球制御部１６５には、賞球の払出しを実行する賞球装置１６６が接続されており、主制御装置１５０から適宜賞球制御信号を受けて、賞球装置１６６における賞球の払い出し制御を適宜行う。
【００２４】
次に、本実施の形態に係る上記構成のパチンコ機１０１の作用を各図面を参照しながら説明する。
【００２５】
図１に示すパチンコ機１０１において、発射ハンドル装置（図示省略）によって遊技盤１０３表面の遊技領域１０５に発射された遊技球は、風車１１４や遊技釘１１６などによって流下態様を変えつつ遊技領域１０５を流下していく。入賞装置１２０付近へ流下した遊技球は、図２中の球流入口１２１ａを通じて入賞装置１２０内へ流入する。このとき、開閉部材１２２，１２３は、図２に示すような入賞不可状態に維持されており、入賞装置１２０内へ流入した遊技球は、球流下通路１２１ｂを流通したのち、球排出口１２１ｃを通じて入賞装置１２０外へ排出される。この球排出口１２１ｃは、第１種始動口１１０の真上に配置されているため、入賞装置１２０外へ排出された遊技球は第１種始動口１１０へ入球し易い。
【００２６】
入賞装置１２０外へ排出された遊技球が第１種始動口１１０へ入球し、あるいは普通図柄抽選が当たりで開閉部材１１１，１１２が開放されたときに遊技球が第１種始動口１１０へ入球し、入球した遊技球が始動口センサ１４０によって検出されると、主制御装置１５０（後述する態様７及び態様８における「抽選手段」に対応）は大当たりに関する抽選を行い、当該大当たり抽選結果に基づいて表示制御部１６２は表示器１３１において大当たりに関与する特別図柄や文字、キャラクターなどの変動を開始する。当該大当たり抽選結果が大当たりの場合には、表示器１３１に大当たり図柄配列が表示されるとともに、ソレノイド１６０によって開閉部材１２２，１２３が所定周期で開閉動作される「大当たり遊技」の状態となる。大当たり遊技においては、「所定の遊技条件」が成立したとして開閉部材１２２，１２３を図２に示す位置から各々内方へ左右対称に回転動作させる。開閉部材１２２，１２３が図４に示す位置に設定された状態では、球流入口１２１ａを通じて入賞装置１２０内へ流入し球流下通路１２１ｂを流下した遊技球はすべて、入賞口１２４，１２５へ入賞する。大当たり遊技が終了すると、開閉部材１２２，１２３は、再び図２に示すような入賞不可状態に維持される。
反対に、大当たり抽選結果がはずれの場合には、表示器１３１に、はずれ図柄配列が表示される。はずれの場合には、「所定の遊技条件」が成立していないとして、開閉部材１２２，１２３は、図２に示すような入賞不可状態に維持される。
【００２７】
以上のように、本実施の形態のパチンコ機１０１によれば、入賞装置１２０内へ流入した遊技球を、開閉部材１２２，１２３を介して入賞口１２４，１２５ないし球排出口１２１ｃに振り分けるようにし、更に球排出口１２１ｃに振り分けられた遊技球が第１種始動口１１０に入球しやすい構成にしたため、表示器１３１が大型化したような場合であっても、遊技盤１０３面に発射された遊技球の流下態様にバリエーションをもたせ面白味を付与することが可能となる。また、球流下部材１２１よりも前側（図３中の左側）の領域を、入賞装置１２０外の遊技球の通過可能な領域とすることによって、入賞装置１２０によって遊技球の通過可能領域が減るのを抑え、遊技領域１０５を有効に利用することが可能となる。
また、本実施の形態によれば、球流下部材１２１を透明樹脂製としたため、遊技者は、球流入口１２１ａ、球流下通路１２１ｂ、球排出口１２１ｃ、入賞口１２４，１２５を流下する遊技球の状態や開閉部材１２２，１２３の開閉動作を視認することができ、入賞装置１２０内における遊技球の流下態様に対する遊技者の興趣が高まる。
また、入賞装置１２０は、球流入口１２１ａの開口幅が極力広くなるように構成されることによって、いわゆる「大入賞口」として好適に使用される。
【００２８】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００２９】
上記実施の形態では、入賞装置１２０において遊技球を入賞口１２４，１２５ないし球排出口１２１ｃに振り分けるのに図２〜図４に示す構成の開閉部材１２２，１２３を用いる場合について記載したが、本発明では、開閉部材１２２，１２３にかえて、図６に示すような別の構成の開閉部材を用いることができる。図６は、別の実施の形態の入賞装置１８０に関し図３に対応した断面構造を示す図である。
【００３０】
図６に示す入賞装置１８０（本発明における「球流入装置」に対応）では、開閉部材１２２，１２３にかえて開閉部材１８２を用いる構成以外は、入賞装置１２０の構成と同様である。開閉部材１８２は板状部材として構成され、例えばソレノイドを介して、図６中の実線で示す位置と二点鎖線で示す位置との間で開閉動作されるようになっている。この開閉部材１８２が、本発明における「振り分け部材」及び後述する態様１における「開閉部材」に対応している。
開閉部材１８２が実線で示す位置に設定された状態では、この開閉部材１８２によって入賞口１２４，１２５が閉鎖され、球流入口１２１ａと入賞口１２４，１２５との連通が遮断される一方、球流入口１２１ａと球排出口１２１ｃとの連通は許容される。これに対し、開閉部材１８２が実線で示す位置から二点鎖線で示す位置へ回転動作すると、この開閉部材１８２によって入賞口１２４，１２５が開放され、球流入口１２１ａと入賞口１２４，１２５との連通が許容される一方、球流入口１２１ａと球排出口１２１ｃとの連通は遮断される。なお、開閉部材１８２は、入賞口１２４，１２５に兼用化された１片の板状部材によって構成されてもよいし、あるいは入賞口１２４，１２５に対応して左右に２片に分割され、分割された各々が動作する構成であってもよい。
このように、図６に示す構成の開閉部材１８２を用いた場合も、図２〜図４に示す構成の開閉部材１２２，１２３を用いる場合と同様の作用効果、すなわち遊技球を入賞口１２４，１２５ないし球排出口１２１ｃに振り分けることができるという作用効果を奏することとなる。
【００３１】
また、上記実施の形態では、表示装置１３０の下方であって第１種始動口１１０の上方に入賞装置１２０を設ける場合について記載したが、本発明では、図７〜図９に示すように、入賞装置１２０と同様の構成の入賞装置２２０を、表示装置１３０の上方に設けることもできる。図７には、別の実施の形態のパチンコ機２０１の遊技盤１０３の全体構成が示される。また、図８は、図７中の入賞装置２２０の入賞不可状態における拡大図であり、図９は、図７中の入賞装置２２０の入賞可能状態における拡大図である。これら図７〜図９において、図１〜図４中に記載の構成要素と同一の構成要素には同一の符号を付している。
【００３２】
図７に示すパチンコ機２０１は、始動口センサ１４０を備える第１種始動口１１７の下方に、大入賞口（図示省略）を開閉する開閉部材１１８を備え、表示装置１３０の上方に入賞装置２２０を備える構成になっている。開閉部材１１８は、前記の「大当たり遊技」中に開閉動作され、開閉部材１１８の開放時に大入賞口に入賞した遊技球は、入賞センサ１４４によって検出される。
本発明における「球流下装置」としての入賞装置２２０は、図８及び図９に示すように、入賞装置１２０の入賞口１２４，１２５（入賞口センサ１４４）を、第１種始動口１１０，１１０（始動口センサ１４０）に置きかえた構成になっている。球通過口１１３を通過する遊技球が通過口センサ１４２によって検出され、普通図柄抽選結果が当たりの場合には、この入賞装置２２０の開閉部材１２２，１２３は、図８に示す位置から図９に示す位置へと回転動作し、当該図９に示す位置に所定時間設定されたのち、図８に示す位置へと復帰する。
【００３３】
開閉部材１２２，１２３が図８に示す位置に設定された状態では、これら開閉部材１２２，１２３によって第１種始動口１１０，１１０が閉鎖され、球流入口１２１ａと第１種始動口１１０，１１０との連通が遮断される一方、球流入口１２１ａと球排出口１２１ｃとの連通は許容される。これら第１種始動口１１０，１１０が、本発明における「第２の球流入領域」に対応している。したがって、球流入口１２１ａを通じて入賞装置２２０内へ流入し球流下通路１２１ｂを流下した遊技球は、第１種始動口１１０，１１０への入球が不可とされ、球排出口１２１ｃを通じて入賞装置１２０外へ排出されるように振り分けられたのち、表示装置１３０の上縁部１３０ａに沿って左側または右側に流下することとなる。開閉部材１２２，１２３のこの状態が、後述する態様１における「第１の状態」に相当する。
【００３４】
これに対し、開閉部材１２２，１２３が図８に示す位置から各々内方へ左右対称に回転動作し図９に示す位置に設定されると、これら開閉部材１２２，１２３によって第１種始動口１１０，１１０が開放され、球流入口１２１ａと第１種始動口１１０，１１０との連通が許容される一方、球流入口１２１ａと球排出口１２１ｃとの連通は遮断される。したがって、球流入口１２１ａを通じて入賞装置２２０内へ流入し球流下通路１２１ｂを流下した遊技球は、球排出口１２１ｃを通じて入賞装置２２０外へ排出されるのが不可とされ、必ず第１種始動口１１０，１１０へ入賞するように振り分けられる。開閉部材１２２，１２３のこの状態が、後述する態様１における「第２の状態」に相当する。
【００３５】
パチンコ機２０１において、遊技盤１０３面を流下する遊技球が第１種始動口１１７に入球するか、あるいは開閉部材１２２，１２３が第２の状態になったときに入賞装置２２０内に流入した遊技球が第１種始動口１１０，１１０へ入球して、入球した遊技球が始動口センサ１４０によって検出されると、所定数の賞球が付与されるとともに、表示器１３１は大当たりに関与する特別図柄や文字、背景等の変動を開始する。
このような入賞装置２２０を用いた場合も、前述した入賞装置１２０を用いる場合の作用効果と同様の作用効果を奏することとなる。
【００３６】
また、上記実施の形態では、振り分け後の遊技球を球排出口１２１ｃを通じて遊技盤１０３面へ排出可能な構成の入賞装置１２０，１８０，２２０について記載したが、振り分け後の遊技球が全て入賞装置内の流入口へ流入し、一旦入賞装置内に流入した遊技球は、遊技盤１０３面へ排出されないような構成の入賞装置に、本発明を適用してもよい。
【００３７】
また、上記実施の形態では、入賞装置内を流下する遊技球の状態や開閉部材の開閉動作を、透明樹脂製の球流下部材１２１を透して視認可能としたが、本発明では、入賞装置内を流下する遊技球の状態や開閉部材の開閉動作を視認不能な構成としてもよい。
【００３８】
また、上記実施の形態では、第１種パチンコ機であるパチンコ機１０１，２０１について記載したが、例えば第２種パチンコ機や第３種パチンコ機における入賞装置、またアレンジボール遊技機における入賞装置の構成に本発明を適用することもできる。
【００３９】
また、上記実施の形態や種々の変更の形態に鑑みた場合、本発明では以下の態様１〜態様９に記載の構成を採り得る。
【００４０】
（態様１）
本発明では、「請求項１に記載の遊技機であって、
前記振り分け手段は、前記第１の球流入領域及び第２の球流入領域を開閉する開閉部材を用いて構成され、
前記開閉部材を、前記第１の球流入領域が開放され前記第２の球流入領域が閉鎖されて遊技球が当該第１の球流入領域に流入する第１の状態と、前記第１の球流入領域が閉鎖され前記第２の球流入領域が開放されて遊技球が当該第２の球流入領域に流入する第２の状態を形成するように制御する開閉部材制御手段を備えたことを特徴とする遊技機。」という構成（態様１）を採り得る。
【００４１】
この態様１では、請求項１に記載の遊技機の構成において、振り分け手段は、第１の球流入領域及び第２の球流入領域を開閉する開閉部材を用いて構成される。典型的には、左右一対の開閉羽根を開閉部材として用いる。また、開閉部材を、第１の状態と、第２の状態を形成するように制御する開閉部材制御手段を備える。典型的には、開閉部材に連結されたソレノイドやモータを制御する構成によって、開閉部材制御手段が構成される。
第１の状態では、第１の球流入領域が開放され第２の球流入領域が閉鎖されて遊技球が当該第１の球流入領域に流入する。第２の状態では、第１の球流入領域が閉鎖され第２の球流入領域が開放されて遊技球が当該第２の球流入領域に流入する。
本態様１に記載の遊技機のこのような構成によれば、振り分け手段として開閉部材を用いた簡便な構成が実現される。
なお、本態様１において、開閉部材の数、開閉方向等は、必要に応じて適宜変更可能である。例えば、第１の球流入領域及び第２の球流入領域を、複数の開閉部材を介して独立して、あるいは１つの開閉部材を介して兼用して開閉するように構成することができる。
【００４２】
（態様２）
本発明では、「請求項１または態様１に記載の遊技機であって、
前記第１及び第２の球流入領域と前記振り分け手段の前方側には、遊技盤面に発射された遊技球が流下可能な球流下部材が設けられていることを特徴とする遊技機。」という構成（態様２）を採り得る。
【００４３】
この態様２では、請求項１または態様１に記載の遊技機の構成において、第１及び第２の球流入領域と振り分け手段の前方側には、遊技盤面に発射された遊技球が流下可能な球流下部材が設けられている。
本態様２に記載の遊技機のこのような構成によれば、球流入領域と振り分け手段の前方側を、遊技球の流下領域として用いることができるため合理的である。とりわけ、図柄表示器を備える遊技機において、遊技盤の限られた遊技領域の中で図柄表示器を大型化したいという要請に応えた場合、図柄表示器の大型化によって減少した遊技領域を、球流入領域と振り分け手段の前方側に形成される球流下可能領域によって補うことができるため効果的である。
【００４４】
（態様３）
また、本発明では、「態様２に記載の遊技機であって、
前記球流下部材は、前記振り分け手段によって遊技球が前記第１の球流入領域あるいは第２の球流入領域に振り分けられる動作を視認可能に構成されていることを特徴とする遊技機。」という構成（態様３）を採り得る。
【００４５】
この態様３では、態様２に記載の遊技機の構成において、球流下部材は、振り分け手段によって遊技球が第１の球流入領域あるいは第２の球流入領域に振り分けられる動作を視認可能に構成されている。
本態様３に記載の遊技機のこのような構成によれば、球流入領域と振り分け手段の前方側を、遊技球の流下領域として用いることができるうえに、球流入装置内を流下する遊技球の状態や振り分け部材の振り分け動作が視認可能となるため、球流入装置内における遊技球の流下態様に対する遊技者の興趣が高まる。
【００４６】
（態様４）
また、本発明では、「請求項１、態様１〜態様３のいずれかに記載の遊技機であって、
前記振り分け手段は、遊技球を前記第１の球領域に流入させる状態と前記第２の球流入領域に流入させる状態を所定周期で形成することを特徴とする遊技機。」という構成（態様４）を採り得る。
【００４７】
この態様４では、請求項１、態様１〜態様３のうちのいずれかに記載の遊技機の構成において、振り分け手段は、遊技球を第１の球領域に流入させる状態と第２の球流入領域に流入させる状態を所定周期で形成するように構成されている。
本態様４に記載の遊技機のこのような構成によれば、振り分け手段による遊技球の振り分け動作を、所定周期に応じて規則的に行うことが可能となる。
【００４８】
（態様５）
また、本発明では、「請求項１、態様１〜態様３のいずれかに記載の遊技機であって、
前記振り分け手段は、所定の遊技条件が成立していない場合には遊技球を前記第１の球流入領域に流入させ、所定の遊技条件が成立した場合には遊技球を前記第２の球流入領域に流入させることを特徴とする遊技機。」という構成（態様５）を採り得る。
【００４９】
この態様５では、請求項１、態様１〜態様３のうちのいずれかに記載の遊技機の構成において、振り分け手段は、所定の遊技条件が成立していない場合には遊技球を第１の球流入領域に流入させ、所定の遊技条件が成立した場合には遊技球を第２の球流入領域に流入させるように構成されている。ここでいう「所定の遊技条件」の成立は、典型的には所定の抽選の抽選結果があたりか否かによって規定される。
本態様５に記載のこのような構成によれば、振り分け手段による遊技球の振り分け動作を、所定の遊技条件に基づいて規則的に行うことが可能となる。
【００５０】
（態様６）
また、本発明では、「請求項１、態様１〜態様５のいずれかに記載の遊技機であって、
前記球流入装置は、前記第１の球流入領域に流入した遊技球を遊技盤面に排出する球排出口を有していることを特徴とする遊技機。」という構成（態様６）を採り得る。
【００５１】
この態様６では、請求項１、態様１〜態様５のうちのいずれかに記載の遊技機の構成において、球流入装置は、第１の球流入領域に流入した遊技球を遊技盤面に排出する球排出口を有する。
本態様６に記載のこのような構成によれば、球流入装置内において振り分けられ、第１の球流入領域に流入した遊技球を遊技盤面に排出する構成が実現される。
【００５２】
（態様７）
また、本発明では、「態様６に記載の遊技機であって、
図柄表示手段と、遊技球が流入可能な始動口と、始動口への遊技球の流入に起因して抽選を行う抽選手段と、前記抽選手段の抽選結果に対応する図柄を前記図柄表示手段に表示させる表示制御手段を備え、
前記球流入装置の球排出口は、前記始動口の上方に配置されていることを特徴とする遊技機。」という構成（態様７）を採り得る。
【００５３】
この態様７では、態様６に記載の遊技機の構成において、図柄表示手段と、遊技球が流入可能な始動口と、始動口への遊技球の流入に起因して抽選を行う抽選手段と、抽選手段の抽選結果に対応する図柄を図柄表示手段に表示させる表示制御手段を備えている。また、球流入装置の球排出口は、始動口の上方に配置されている。典型的には、球排出口から排出された遊技球が始動口に入球し易い位置に当該球排出口を配置する。
本態様７に記載のこのような構成によれば、振り分けによって振り分けされ排出口を通じて球流入装置外へ排出された遊技球を、抽選手段を行うための始動入賞球として用いることができ、遊技球の流下態様に面白味を付与することができる。
【００５４】
（態様８）
また、本発明では、「請求項１、態様１〜態様６のいずれかに記載の遊技機であって、
図柄表示手段と、遊技球が流入可能な始動口と、始動口への遊技球の流入に起因して抽選を行う抽選手段と、前記抽選手段の抽選結果に対応する図柄を前記図柄表示手段に表示させる表示制御手段を備え、
前記球流入装置が前記図柄表示手段の上方に配置されていることを特徴とする遊技機。」という構成（態様８）を採り得る。
【００５５】
この態様８では、請求項１、態様１〜態様６のいずれかに記載の遊技機の構成において、図柄表示手段と、遊技球が流入可能な始動口と、始動口への遊技球の流入に起因して抽選を行う抽選手段と、抽選手段の抽選結果に対応する図柄を図柄表示手段に表示させる表示制御手段を備えている。また、球流入装置が図柄表示手段の上方に配置されている。
本態様８に記載のこのような構成によれば、図柄表示手段の上方に設置した球流入装置を用いて遊技球の振り分けを行うことによって、遊技球の流下態様に面白味を付与することができる。
【００５６】
（態様９）
また、本発明では、「態様８に記載の遊技機であって、
前記球流入装置の第２の球流入領域を前記始動口として用いることを特徴とする遊技機。」という構成（態様９）を採り得る。
【００５７】
この態様９では、態様８に記載の遊技機の構成において、球流入装置の第２の球流入領域を始動口として用いる。
本態様９に記載のこのような構成によれば、振り分けによって第２の球流入領域へ振り分けされた遊技球を、抽選手段を行うための始動入賞球として用いることができ、これにより遊技球の流下態様に面白味を付与することができる。
【図面の簡単な説明】
【００５８】
【図１】本発明における一実施の形態のパチンコ機１０１の遊技盤１０３の全体構成を示す図である。
【図２】図１中の入賞装置１２０の入賞不可状態における拡大図である。
【図３】図２中の入賞装置１２０のＡ−Ａ線における断面構造を示す図である。
【図４】図１中の入賞装置１２０の入賞可能状態における拡大図である。
【図５】本実施の形態のパチンコ機１０１の電装システムを示す図である。
【図６】別の実施の形態の入賞装置２２０に関し図３に対応した断面構造を示す図である。
【図７】別の実施の形態のパチンコ機２０１の遊技盤１０３の全体構成を示す図である。
【図８】図７中の入賞装置２２０の入賞不可状態における拡大図で
【図９】図７中の入賞装置２２０の入賞可能状態における拡大図である。
【符号の説明】
【００５９】
１０１  パチンコ機
１０３  遊技盤
１０５  遊技領域
１１０，１１７  第１種始動口
１２０  入賞装置
１２１  球流下部材
１２１ａ  球流入口
１２１ｂ  球流下通路
１２１ｃ  球排出口
１２２，１２３  開閉部材
１２４，１２５  入賞口
１３０  表示装置
１３１  表示器
１４０  始動口センサ
１４２  通過口センサ
１４４  入賞口センサ
【図１】
2005279057.tif 000003
【図２】
2005279057.tif 000004
【図３】
2005279057.tif 000005
【図４】
2005279057.tif 000006
【図５】
2005279057.tif 000007
【図６】
2005279057.tif 000008
【図７】
2005279057.tif 000009
【図８】
2005279057.tif 000010
【図９】
2005279057.tif 000011